(57)【要約】【課題】２つのプリフォームを使って成形されたレンズを用いて安定した配光特性を得る。【解決手段】内視鏡の照明光学系３３は、照明レンズ３４とファイバーバンドル３０とからなる。照明レンズ３４は、ファイバーバンドル３０の出射端面３０ａに対面する入射面が凸の非球面ｒ２になっている。照明光は、非球面ｒ２の全面を通る光を利用する。非球面ｒ２には、成形上の問題により外周部５３に形状不安定部が生じる。そこで、照明レンズ３４と出射端面３０ａとの間に遮光リング５５を設けている。遮光リング５５は、外周部５３を覆っており、外周部５３に入射する光を遮光する。【選択図】図１２
2010169802.tif 000002
【特許請求の範囲】
【請求項１】
体内に挿入される挿入部と、
２つのプリフォームを使って成形され、かつ少なくとも１面が非球面に形成されている正レンズを含み、前記挿入部の先端に内蔵されている光学系と、
前記非球面に隣接して配されており、前記非球面の外周部に生じる形状不安定部に入射する光を遮光する遮光部材と、
を備えたことを特徴とする内視鏡用光学装置。
【請求項２】
光源からの光をガイドして出射端面から出射するライトガイドと、
２つのプリフォームを使って成形され、かつ前記出射端面に対面する入射面が非球面に形成されている正レンズを含む照明光学系と、
前記出射端面と前記非球面との間に配されており、前記非球面の外周部に生じる形状不安定部に入射する光を遮光する遮光部材と、
を備えたことを特徴とする内視鏡用照明装置。
【請求項３】
前記遮光部材は、前記形状不安定部を覆うリング部と、前記非球面のうちの前記形状不安定部を除く形状安定部に入射する光を通過させる開口部とを有する遮光リングになっていることを特徴とする請求項２記載の内視鏡用照明装置。
【請求項４】
前記遮光部材は、前記形状不安定部に塗布される遮光層となっていることを特徴とする請求項２記載の内視鏡用照明装置。
【請求項５】
前記遮光部材は、前記正レンズを保持する保持部材に設けた突起部又は段差部になっていることを特徴とする請求項２記載の内視鏡用照明装置。
【請求項６】
前記正レンズは、前記２つのプリフォームを上・下型の間に順に供給し、供給した後に上・下型を介して２つのプリフォームを加熱し、その後に、前記上・下型で前記２つのプリフォームを押圧して作られることを特徴とする請求項２ないし５いずれか記載の内視鏡用照明装置。
【請求項７】
受光面を有する撮像センサと、
２つのプリフォームを使って成形され、かつ少なくとも１面が非球面に形成されている正レンズを含み、前記非球面を通る被写体光を前記結像面に結像する撮影光学系と、
前記非球面に隣接して配されており、前記非球面の外周部に生じる形状不安定部に入射する光を遮光する遮光部材と、
を備えたことを特徴とする内視鏡用撮影装置。
【請求項８】
体内に挿入され、且つ先端部から基端部へと貫通する内部空間を有する挿入部と、
前記内部空間に収容されており、光源からの光を前記基端部から前記先端部に向けてガイドして出射端面から出射するライトガイドと、
前記先端部の先端面に設けられた照明窓と、
２つのプリフォームを使って成形され、かつ前記出射端面に対面する入射面が非球面に形成されている正レンズを含み、前記出射端面から出射する光を前記照明窓を通して被写体に向けて照射する照明光学系と、
前記出射端面と前記非球面との間に配されており、前記非球面の外周部に生じる形状不安定部に入射する光を遮光する遮光部材と、
を備えことを特徴とする内視鏡。
【発明の詳細な説明】
【技術分野】
【０００１】
本発明は、２つのプリフォームを使って成形され、かつ少なくとも１面が非球面に形成されている正レンズを含む光学系を備える内視鏡用光学装置、内視鏡用照明装置、内視鏡用撮影装置、及び内視鏡に関するものである。
【背景技術】
【０００２】
医療用の電子内視鏡は、体内に挿入される挿入部の先端に、観察光学系と照明光学系とが内蔵されており、照明光学系で被写体を照明し、照明された被写体の画像情報を観察光学系で映像信号として取り出し、モニタ等によりその画像を表示する。挿入部には、先端部から基端部へと貫通する内部空間にファイバーバンドルが収容されている。ファイバーバンドルは、光が入射する入射端面と光を出射する出射端面とを有し、光を基端部から先端部へと導く。出射端面から出射される光は、照明光学系を通して被写体に向けて照射される。
【０００３】
近年、内視鏡の撮像範囲の広角化の要求が高まり、これに伴って照明光学系の照射範囲も広角化が要求されている。また、平面状物体だけでなく、食道や気管支の内面などの管状物体や、胃の内面などの球面状物体などの観察対象物に対しても適切な照度分布が与えられる照明光学系の要求も高まっている。そこで、ファイバーバンドルからなるライトガイドの前に正のレンズ系を配置し、このレンズ系によりライトガイドから出射される光を一度集光させた後に発散させて広角な照明を可能にした広角な内視鏡用照明光学系が知られている（特許文献１、特許文献２）。
【０００４】
特許文献１に記載の照明光学系は、少なくとも１つの正レンズを含み、この正レンズの少なくとも１面を非球面にし、その非球面をファイバーバンドルの出射端に対面させている。非球面は、光軸から離れるにつれて近似曲率よりも曲率が弱くなる曲面になっている。そして、非球面を近似曲率で表わした時の全系の焦点距離をｆ、光源から光軸に平行に発した光線のこの光学系への入射光線高さｈとこの光線高の光学系からの射出角θと間に、略ｈ＝ｆ・ｓｉｎθになる関係が成り立つ光学系になっている。また、特許文献２に記載の光学系は、略ｈ＝ｆ・θになる関係が成り立つ光学系になっている。
【０００５】
前述したように、特許文献１及び２に記載の正レンズは、非球面をファイバーバンドルの出射端に対面して配されている。したがって、ファイバーバンドルの出射端からファイバーの開口数（ＮＡ）にしたがって出射される光は、非球面全面に入射され、光の全てを照明光として利用することができる。
【０００６】
ところで、光学レンズを成形する方法としてモールド成形が知られている。モールド成形は、光学機能転写面を有する上型及び下型と、上型及び下型の水平方向の位置を規定する胴型とからなる成形型を用い、上・下型間に成形材料（ガラス光学素子やプラスチック光学素子）、例えばプリフォーム（予め、球状又は回転楕円体状等の形状に成形された予備成形品）を加熱しながら、成形型を押圧して成形する。通常、１つのプリフォームを使用して１つの光学レンズを作るが、他の方法として、複数のプリフォームを使用して１つの光学レンズを作る方法が知られている（特許文献３）。この方法を用いると、１つのプリフォームでは大きすぎて成形型に収まらない容量の光学レンズを成形することができ、また、プリフォームの形状と成形型との形状の違いによって成形後の光学素子に圧縮空気が入り込む問題を防止することができる。
【先行技術文献】
【特許文献】
【０００７】
【特許文献１】特開平５−１５７９６７号公報
【特許文献２】特開平５−１１９２７２号公報
【特許文献３】特開２００４−１０４５６号公報
【発明の概要】
【発明が解決しようとする課題】
【０００８】
しかしながら、特許文献１及び特許文献２に記載した正レンズの非球面の形状は、光軸から離れるにしたがって近似曲率よりも曲面の曲率が弱くなる凸面になっている。したがって、前述した正レンズは、非球面の外周部、つまり非球面と光軸に対して平行な直線部との間のつなぎ目が、形状が急激に変化する形状変化部となる。モールド成形では、加熱して軟化したプリフォームがその形状変化部に行き渡らないおそれがある。また、凸レンズの場合は、中央部の肉厚よりも外周部の肉厚のほうが薄い。このため、冷却中に外周部の温度の低下が顕著となる。外周部の温度がガラス転移点以下になるとガラスの流動が止められるので、ガラス内部の熱溜りが熱収縮し、外周部を窪ませるおそれがある。このため、非球面外周部である形状変化部に窪み等が生じて、ここが形状精度上の不良を引き起こしやすい形状不安定部になる。
【０００９】
また、モールド成形では、プリフォームの大きさが、個体ごとに厳密に同一であれば問題はないが、多数個成形する場合、プリフォームの大きさを厳密に同一にすることは現実には困難である。この場合のプリフォーム５０は圧縮成型が進行するほどレンズ外周部に向けて伸びることとなり、プリフォームの体積が基準より大きい場合はレンズの中心厚のばらつき誤差となる。一方プリフォーム５０の体積が基準より小さい場合はレンズの中心厚ばらつきは発生しないが、２個のプリフォームの接合部の外周部分に体積ばらつき分の成型不良領域が発生することになる（図１１）。また、成形時の型の押圧量の誤差によっても、外周部に形状不良領域が生じるおそれがある。
【００１０】
このように、非球面の外周部は形状不安定になりやすい。光がこの形状不安定部を通ることで、配光が個体ごとでバラツキ、よって内視鏡ごとで配光特性や照度分布が安定しないという問題があった。
【００１１】
また、２つのプリフォームを使って成形され、かつ少なくとも１面が非球面に形成されている正レンズを内視鏡の撮影光学系に用いる場合にも、正レンズの外周部に形状不安定部が生じるおそれがある。このようになると、フレアー等が生じて画質が低下する。
【００１２】
本発明はこのような事情に鑑みてなされたもので、形状不安定部をもつ光学レンズを用いても、配光特性や照度分布、及び画質等の品質を一定に維持することができる内視鏡用光学装置、内視鏡用照明装置、内視鏡用撮影装置、及び内視鏡を提供することを目的とする。
【課題を解決するための手段】
【００１３】
上記目的を達成するために、本発明の内視鏡用光学装置では、体内に挿入される挿入部と；２つのプリフォームを使って成形され、かつ少なくとも１面が非球面に形成されている正レンズを含み、前記挿入部の先端に内蔵されている光学系と；前記非球面に隣接して配されており、前記非球面の外周部に生じる形状不安定部に入射する光を遮光する遮光部材と；を備えたものである。
【００１４】
また、本発明の内視鏡用照明装置では、光源からの光をガイドして出射端面から出射するライトガイドと；２つのプリフォームを使って成形され、かつ前記出射端面に対面する入射面が非球面に形成されている正レンズを含む照明光学系と；前記出射端面と前記非球面との間に配されており、前記非球面の外周部に生じる形状不安定部に入射する光を遮光する遮光部材と；を備えたものである。
【００１５】
照明光学系としては、特許文献１に示されるように比較的枚数の少ない例えば２枚ないし１枚構成で、少なくとも１面を非球面としたものが望ましく、このような構成の場合、１枚のレンズがレンズ外径に対して中心厚が厚いレンズを利用することが可能となり、本発明のプリフォームを２個成型するレンズにとっては好適である。また、面形状は、撮影光学系の撮影領域を均一に照明できるものであればよい。
【００１６】
形状不安定部は、非球面の光軸から離れた外周部に生じてことが多い。そこで、遮光部材としては、外周部を覆う遮光リングを用いてもよい。また、形状不安定部に遮光層を塗布してもよい。さらに、正レンズを保持する保持部材に突起部、又は段差部を設け、突起部、又は段差部で、形状不安定部に入射する光を遮光するように構成してもよい。
【００１７】
正レンズは、２つのプリフォームを上・下型の間に順に供給し、上・下型で２つのプリフォームを押圧して作るモールド法で成形することができる。
【００１８】
本発明の内視鏡としては、体内に挿入され、且つ先端部から基端部へと貫通する内部空間を有する挿入部と；前記内部空間に収容されており、光源からの光を前記基端部から前記先端部に向けてガイドして出射端面から出射するライトガイドと；前記先端部の先端面に設けられた照明窓と；２つのプリフォームを使って成形され、かつ前記出射端面に対面する入射面が非球面に形成されている正レンズを含み、前記出射端面から出射する光を前記照明窓を通して被写体に向けて照射する照明光学系と；前記出射端面と前記非球面との間に配されており、前記非球面の外周部に生じる形状不安定部に入射する光を遮光する遮光部材と；を備えたものである。
【００１９】
また、本発明は内視鏡用の照明装置に限定されるものではなく、内視鏡用の撮影光学系を備える撮影装置にも、フレアーの発生を防止することができるので、採用するが可能である。
【発明の効果】
【００２０】
本発明によれば、非球面の外周部に生じる形状不安定部を通る光を遮光する遮光部材を設けているから、照明装置ごとの配光、及び照度分布のバラツキ、又は撮影装置ごとの画質のバラツキを安定させることができる。
【図面の簡単な説明】
【００２１】
【図１】電子内視鏡の使用状態を示す説明図である。
【図２】内視鏡の挿入部の先端面を示す説明図である。
【図３】ファイバーバンドルの出射面を示す説明図である。
【図４】ファイバーバンドルと照明レンズからなる照明光学系を示す断面図である。
【図５】照明レンズを作る成形装置を示す断面図である。
【図６】胴型を組み込んだ下型に第１のプリフォームを載置する工程を示す断面図である。
【図７】第２のプリフォームを載置する工程を示す断面図である。
【図８】上型を組み込む工程を示す断面図である。
【図９】第１及び第２のプリフォームを加熱しながら押圧する工程を示す断面図である。
【図１０】冷却後に上型を外して照明レンズを取り出す工程を示す断面図である。
【図１１】非球面のうちの外周部に窪みや溝が生じて形状不安定部が生じた照明レンズを示す説明図である。
【図１２】照明レンズの形状不安定部を遮光リングで覆った構成を示す断面図である。
【図１３】照明レンズの形状不安定部に遮光層を塗布した別の実施形態を示す断面図である。
【図１４】照明レンズの形状不安定部を、レンズを固定する固定部材の突起部で覆った他の実施形態を示す断面図である。
【図１５】撮影光学系を備えた撮影光学系に本発明を用いた他の実施形態を示す説明図である。
【発明を実施するための形態】
【００２２】
電子内視鏡１０は、図１に示すように、挿入部１１、挿入部１１の基端部に接続されている手元操作部１２、及び、ユニバーサルコネクタ１３などを備えている。挿入部１１は、フレキシブルな管状に形成されており、先端部１４、湾曲部１５、及び、可撓管部１６とで構成されている。先端部１４には、硬質な金属材料等で形成されており、撮像素子や照明光学系等が内蔵されている。
【００２３】
ユニバーサルコネクタ１３は、手元操作部１２から延設されたユニバーサルケーブル１８の先端に設けられており、プロセッサ装置１９、及び、光源装置２０に接続される。プロセッサ装置１９には、電源回路、撮像素子から得られる撮像信号を画像処理してコンポジット信号やＲＧＢコンポーネント信号にエンコードするための画像処理回路等が設けられている。光源装置２０には、光源が内蔵されており、その光は、手元操作部１２を通って挿入部１１の内部空間に収容したファイバーバンドルによって基端部から先端部１４へと導かれて照明光学系に入射する。
【００２４】
可撓管部１６は、手元操作部１２と湾曲部１５との間を細径で長尺状に繋ぐ部分であり、可撓性を有している。これらの間の湾曲部１５は、手元操作部１２に設けられた湾曲操作ノブ１２ａの操作に連動して挿入部１１の内部空間に収容されたアングルワイヤが牽引されて先端部１４を上下左右に湾曲動作する。これにより、先端部１４が体腔内の所望の方向に向けられ、照明光学系から放たれる照明光を観察部位に照射し、その反射光を撮像素子で撮像して、画像処理回路を介してモニタ２１に表示する。
【００２５】
先端部１４の先端面１４ａには、図２に示すように、観察窓２３、照明窓２４，２５等が設けられている。観察窓２３には、体腔内の被観察部位の像光を取り込むための対物光学系の一部が露呈され、対物光学系の奧には撮像素子が内蔵されている。照明窓２４，２５には、照明光学系が内蔵されている。照明光学系は、ファイバーバンドルの出射端面から出射される光を被写体に向けて配光する。照明窓２４，２５は、観察窓２３を挟んだ両側に設けられており、撮像素子で撮像する被写体を影が出ないように照明する。なお、符号２６は送気送水ノズルの出口、符号２７，２８は鉗子出口である。
【００２６】
ファイバーバンドル３０の出射端面３０ａは、図３に示すように、複数本の光ファイバー（ファイバー素線）３１を円形となるように結束して作られている。出射端面３０ａの周りには、弾性自在な材質で形成した保護チューブ３２が被着されている。各光ファイバー３１の出射端はランダム、又は同心円状に密着して配列されている。なお、実際には、例えば内径２．３６ｍｍの保護チューブの内部に、２万〜３万本程度の細径の光ファイバーを結束して作られているが、図示では煩雑化を防ぐために、光ファイバー３１の径を大きく記載している。この出射端面３０ａは、照明光学系に対する疑似面光源となる。なお、ファイバーバンドル３０の代わりに、単ファイバーを用いても良い。
【００２７】
照明光学系３３は、図４に示すように、ファイバーバンドル３０と、単レンズ（以下「照明レンズ」と称す）３４で構成されている。照明レンズ３４は、物体側の面（出射面）が平面ｒ１、疑似面光源側の入射面が凸を出射端面３０ａに向けた非球面ｒ２になっている正レンズである。非球面は、光軸から離れるにしたがって近似曲率よりも曲率が弱くなる曲面であり、光源から光軸Ｏに平行に発した光線の照明レンズ３４への入射光線高さｈと、この入射光線高さｈに対する照明レンズ３４からの出射角θとの関係が略ｈ＝ｆ・θ、又は略ｈ＝ｆｓｉｎθの関係になる面である。なお、ファイバーバンドル３０と照明レンズ３４との間に、単ファイバーを挿入してもよい。この場合、単ファイバーの出射端面に非球面ｒ２が対面するように照明レンズ３４を配すればよい。
【００２８】
照明レンズ３４は、２つのプリフォームを、成形型を用いて押圧するモールド成形により作られる。成形型は、図５に示す成形装置４０に設けられている。成形装置４０は、例えば、下型ユニット４１と、上型ユニット４２と、ヒーター４３と、チャンバー４４等を備えている。下型ユニット４１は、下型４５、上型４６、胴型４７を載置する。そして、上型ユニット４２が垂直方向に駆動することによって、上・下型４６，４５でプリフォームを押圧する。ヒーター４３は、加熱部の一例であり、胴型４７の周囲に設置され、成形型、及びプリフォームを加熱する。
【００２９】
チャンバー４４は、内部を効率良く加熱したり、冷却したりするために、成形型、下型ユニット４１、上型ユニット４２、及びヒーター４３を収容しており、例えば、内部を不活性ガスで充満させたり、真空にさせたりすることができる。
【００３０】
上型４６と下型４５は、例えば円柱形状の胴体部４６ａ，４５ａを有しており、対向する面には、光学機能転写面を含む転写面４６ｂ，４５ｂが形成され、逆側の面には、胴体部４６ａ，４５ａの直径よりも大きいフランジ面４６ｃ，４５ｃが形成されている。上型４６は、下型４５に対して垂直方向に移動することで互いの転写面４６ｂ，４５ｂでプリフォームを押圧する。下型４５の転写面４５ｂは、前述した照明レンズ３４の非球面ｒ２を作るための面になっており、上型４６の転写面４６ｂは、照明レンズ３４の平面ｒ１を作るための平面になっている。
【００３１】
胴型４７は、例えば中空の円筒形状であり、この内面は、上・下型４６，４５の胴体部４６ａ，４５ａの外面がそれぞれ摺動可能に接する径で作られており、上型４６の垂直方向への移動を案内し、かつ上・下型４６，４５の水平方向の位置をそれぞれ規定する。この胴型４７は、予め下型４５に組み込まれている。
【００３２】
第１のプリフォーム（光学ガラス素材）５０は、図６に示すように、例えば球状の形状になっており、下型４５の転写面４５ｂの略中央に載置される。次に、第２のプリフォーム（光学ガラス素材）５１ が胴型４７内に供給され、第１のプリフォーム５０の上に載置される。第２のプリフォーム５１は、例えば円柱状の形状になっており、第１のプリフォーム５０と同じ素材、又はガラス転移点Ｔｇの温度が略同じで異なる素材になっている。
【００３３】
その後、図８に示すように、上型４６を胴型４７に挿入した後に、ヒーター４３を駆動して、成形型を介して第１及び第２のプリフォーム５０，５１を同時に加熱する。この加熱は、第１及び第２のプリフォーム５０，５１が、少なくともガラス移転点Ｔｇ以上、例えば光学ガラス素材の屈伏点Ａｔ(Ｔｓ)以上（例えば、屈伏点Ａｔ (Ｔｓ)＋１０〜４０℃など)の所定温度になるまで行われる。屈伏点Ａｔ (Ｔｓ)では、光学ガラス素材が加圧によって変形可能な温度であり、光学ガラス素材は、例えば１０１０〜１０１１Ｐ（ポアズ）（＝１０９〜１０１０Ｐａ・ｓ）程度の粘度となる。
【００３４】
成形型には温度センサが内蔵されている。温度センサから得られる温度情報は、成形装置４０に設けた制御部に送られる。制御部は、温度情報に基づいて第１及び第２のプリフォーム５０，５１の温度を予測してヒーター４３の駆動を制御する。第１及び第２のプリフォーム５０，５１が所定温度になった後に、上型４６を下降させて第１及び第２のプリフォーム５０，５１を上型４６及び下型４５の転写面４２ｂ，４５ｂによって押圧する。これにより、第１及び第２のプリフォーム５０，５１が照明レンズ３４の形状に一体化される。
【００３５】
その後、第１及び第２のプリフォーム５０，５１を冷却する。冷却は、徐冷した後に、急冷する。しかる後に、上型４６が取り外され、成形品（照明レンズ）が取り出される。
【００３６】
ところで、前述したようなモールド成形で照明レンズ３４を作ると、個々のプリフォームの体積のバラツキ等の要因により、図１１に示すように、第１のプリフォーム５０と第２のプリフォーム５１との外周の合わせ目、特に、非球面ｒ２のうちの光軸から最も離れた外周部（非球面ｒ２と光軸Ｏに平行なコバ面５４とのつなぎ目）５３に、窪みや溝等の形状不安定部５３ａが生じる。
【００３７】
非球面ｒ２の外周部５３に形状不安定部５３ａが生じている照明レンズ３４を使うと、形状不安定部５３ａを通る光が設計値どおりに屈折しないため、配光にバラツキが生じる。そこで、図１２に示すように、内視鏡１０の挿入部１１の先端部１４に組み込むときに、ファイバーバンドル３０の出射端面３０ａと照明レンズ３４の非球面ｒ２との間に、形状不安定部５３ａに入射する光を遮光する遮光リング５５を設けている。
【００３８】
遮光リング５５は、形状不安定部５３ａを覆うリング部５５ａと、非球面ｒ２のうちの外周部５３を除く形状安定部５３ｂに入射する光を通過させる開口部５５ｂとを有する。リング部５５ａは、一端が非球面ｒ２の形状安定部５３ｂに当接し、他端がファイバーバンドル３０の保護チューブ３２に当接しており、照明レンズ３４とファイバーバンドル３０の出射端面３０ａの間隔を規制する間隔環の作用をもっている。遮光リング５５の寸法としては、成形の最初の段階、すなわち試作過程で、形状不安定部５３ａと形状安定部５３ｂとの領域を予めに分けておき、形状不安定部５３ａの領域に応じて決めればよい。なお、符号５６は先端部１４に設けた先端キャップ、符号５７は照明レンズ３４とフィイバーバンドル３０とを固定する固定部材である。
【００３９】
上記実施形態では、遮光リング５５を用いているが、遮光リング５５を省略して、図１３に示すように、照明レンズ３４の非球面ｒ２のうちの形状不安定部５３ａに、遮光層５８を周方向に沿って塗布してもよい。遮光層５８としては、黒色系のコーティング剤を塗布してもよいし、黒色系の油性のマジックで塗りつぶすようにしてもよい。また、図１４に示すように、固定部材５７に突起部又は段差部６０を周方向に沿って設け、突起部又は段差部６０で形状不安定部５３ａを覆うように構成してもよい。
【００４０】
また、上記各実施形態では、照明レンズ３４としては、２枚のレンズを貼り合わせて作っても良い。さらに、ガラス素材のプリフォームの代わりに、プラスチック材料のプリフォームを使っても良い。また、本発明の照明光学系としては、照明レンズ３４のみで構成されたもの以外に、照明レンズ３４を含む複数のレンズで構成した光学系としてもよい。この場合、非球面ｒ２を出射端面３０ａに向かって凸となるように照明レンズを配すればよい。
【００４１】
上記各実施形態では、内視鏡用の照明装置として説明しているが、本発明では内視鏡用に限ることはなく、他の照明装置にも用いることができる。
【００４２】
また、上記各実施形態では、内視鏡の照明光学系を有する照明装置を基に説明しているが、本発明は照明装置に採用することに限定されるものではなく、撮影光学系（対物光学系）を有する撮影装置に用いることでフレアーの発生を防止することも可能である。
【００４３】
内視鏡に用いる撮影光学系は、体内に挿入される挿入部の先端に設けた観察窓の奧に内蔵されており、例えば図１５に示すように、物体側から順に、負の屈折率を有する第１レンズ７１と、明るさ絞り７２と、正の屈折率を有する第２レンズ７３と、正の屈折率を有する第３レンズ７５とからなる。このような撮影光学系を備える撮影装置１０に、本発明を採用する場合、第３レンズ７５を２つのプリフォームで作った正レンズする。第３レンズ７５は、物体側の面が非球面７５ａ、像側の面が平面７５ｂになっている。遮光リング（遮光部材）７４は、第２レンズ７３と第３レンズ７５との間に配置され、第３レンズ７５に生じる形状不安定部７７に入射する被写体光を遮光してフレアーを防止する。符号７６は、受光面を結像面に配した撮像センサである。ファイバースコープに用いる場合には、撮像センサの代わりにイメージガイドを設け、イメージガイドの端面を平面７５ｂに密着させればよい。なお、撮影光学系のレンズ構成としては、３群構成に限ることはない。また、撮影光学系においても本発明の正レンズをどこに配置してもよく、例えば、図１５で説明したレンズ構成の場合、第２レンズを本発明の正レンズとしてもよい。この場合には、第２レンズの像面を非球面にすればよい。
【符号の説明】
【００４４】
１０  電子内視鏡
１１  挿入部
１４  先端部
３０  ファイバーバンドル
３４  照明レンズ
５３  外周部
５５，７４  遮光リング
ｒ１，７５ｂ  平面
ｒ２，７５ａ  非球面
【図１】
2010169802.tif 000003
【図２】
2010169802.tif 000004
【図３】
2010169802.tif 000005
【図４】
2010169802.tif 000006
【図５】
2010169802.tif 000007
【図６】
2010169802.tif 000008
【図７】
2010169802.tif 000009
【図８】
2010169802.tif 000010
【図９】
2010169802.tif 000011
【図１０】
2010169802.tif 000012
【図１１】
2010169802.tif 000013
【図１２】
2010169802.tif 000014
【図１３】
2010169802.tif 000015
【図１４】
2010169802.tif 000016
【図１５】
2010169802.tif 000017